(57)【要約】      （修正有）【課題】敷布団として使い心地が良く、コンパクトに折り畳むことができる枕一体型敷き布団を提供する。【解決手段】枕一体型敷き布団１は、枕一体型敷き布団の中材の表面一側部に突設した枕部３と、枕部を含む中材を覆う側生地と、中材を貫通して表面の側生地と裏面の側生地とを縫い線ｆ１〜ｆ７に沿って縫製される。この縫い線ｆ１〜ｆ７のうち、縫い線ｆ１〜ｆ４は、枕一体型敷き布団１を折り畳む場合の折畳線となるもので、枕一体型敷き布団１の短手方向に縫製して形成される。【選択図】図１
0003196393.tif 000002
【実用新案登録請求の範囲】
【請求項１】
枕一体型敷き布団の中材の表面一側部に突設した枕部と、
前記枕部を含む前記中材を覆う側生地と、
前記中材を貫通して前記枕一体型敷き布団の表面の側生地と裏面の側生地とを前記枕一体型敷き布団の短手方向に縫製して形成した折畳線とを備え、
前記折畳線は、前記枕一体型敷き布団の長手方向に所定間隔で複数本設けた枕一体型敷き布団。
【請求項２】
請求項１に記載の枕一体型敷き布団において、
前記所定間隔の前記折畳線は、前記枕一体型敷き布団の長手方向における前記枕部の幅に相当する間隔で形成される枕一体型敷き布団。
【請求項３】
請求項１または２のいずれか１項に記載の枕一体型敷き布団において、
前記折畳線は、前記枕一体型敷き布団の長手方向に前記所定間隔で４本設けた枕一体型敷き布団。
【請求項４】
請求項１〜３のいずれか一項に記載の枕一体型敷き布団において、
前記枕部の両端に接続される帯状弾性体を設け、前記帯状弾性体は前記折畳線により蛇腹状に折り畳まれた前記枕一体型敷き布団の外周に架け渡される枕一体型敷き布団。
【考案の詳細な説明】
【技術分野】
【０００１】
本考案は、枕一体型敷き布団に関する。
【背景技術】
【０００２】
マットレスと枕を一体化した枕一体クッション材が提案されている。具体的には、頭保持部 、体中央保持部 、および脚保持部 の３つに分割された構成になっており、未使用時には、３つ折状態にして収納する（特許文献１）。
【先行技術文献】
【特許文献】
【０００３】
【特許文献１】特開２００６−３２５９５０号公報
【考案の概要】
【考案が解決しようとする課題】
【０００４】
上述した、特許文献１に記載の枕一体クッション材では、分割したクッション材を組み合わせて使用しているため、敷布団としては使い心地が良くない欠点があった。
【課題を解決するための手段】
【０００５】
請求項１に記載の枕一体型敷き布団は、枕一体型敷き布団の中材の表面一側部に突設した枕部と、枕部を含む中材を覆う側生地と、中材を貫通して枕一体型敷き布団の表面の側生地と裏面の側生地とを枕一体型敷き布団の短手方向に縫製して形成した折畳線とを備え、折畳線は、枕一体型敷き布団の長手方向に所定間隔で複数本設けた。
【考案の効果】
【０００６】
本考案によれば、敷布団として使い心地が良く、コンパクトに折り畳むことができる枕一体型敷き布団を提供することができる。
【図面の簡単な説明】
【０００７】
【図１】枕一体型敷き布団の外観図である。
【図２】枕一体型敷き布団の中材の模式図である。
【図３】枕一体型敷き布団の縫い線の断面図である。
【図４】枕一体型敷き布団の折り畳み手順を示す図である。
【図５】枕一体型敷き布団を折り畳んだ状態を示す図である。
【図６】枕一体型敷き布団を椅子として使用する状態を示す図である。
【考案を実施するための形態】
【０００８】
図１は、本考案の実施形態に係わる枕一体型敷き布団１の外観図である。枕一体型敷き布団１は、長方形の本体部２と、本体部２の表面一側部に突設した所定幅の枕部３とより成る。枕一体型敷き布団１は、布団の充填材である中材と中材を覆う側生地とより成る。なお、側生地は、枕部３がある表面の側生地と裏面の側生地より成る。
【０００９】
図１に示すように、枕一体型敷き布団１は、中材を貫通して表面の側生地と裏面の側生地とを縫い線f1〜f7に沿って縫製される。この縫い線f1〜f7のうち、縫い線f1〜f4は、枕一体型敷き布団１を長手方向に分割して折り畳む場合の折畳線となるもので、枕一体型敷き布団１の短手方向であって枕一体型敷き布団１の中央部に縫製して形成される。縫い線f1〜f7は直線状で図示したが波線状であってもよい。なお、縫い線f5〜f7は、布団の形状維持等を考慮して形成されたものである。
【００１０】
更に、図１に示すように、枕一体型敷き布団１の横Sは１００cm(センチメートル)、縦Lは２１０cmである。枕一体型敷き布団１の厚みは５cm〜８cmであり、枕部３の厚みは約１４cmである。枕一体型敷き布団１の天端辺２uから縫い線f1までの幅L1は、約３８cmである。枕部３の幅pw(図２参照)は、この幅L1内に存在し、この幅L1内に収まる幅である。縫い線f1から縫い線f2までの幅L2は約４４cm、縫い線f2から縫い線f3までの幅L3は約４４cm、縫い線f3から縫い線f4までの幅L4は約４４cm、縫い線f4から枕一体型敷き布団１の地端辺２vまでの幅L5は約４０cmである。すなわち、縫い線(折畳線)f1〜f4は、枕一体型敷き布団１の長手方向に枕部３の幅pwに相当する間隔で４本形成され、この折畳線f1〜f4により枕一体型敷き布団１を長手方向に５つに分割して折り畳む。縫い線(折畳線)f1〜f4の長さは夫々４５〜５５cmであり、枕一体型敷き布団１の中央部に形成される。上記した寸法は一例であり、枕一体型敷き布団１を長手方向に複数に略等分に分割して折り畳めれば良い。また、枕部３の両端には、折り畳まれた枕一体型敷き布団１の外周に架け渡される帯状弾性体bが設けられている。帯状弾性体bは、例えば、コールゴムなど幅広の紐である。
【００１１】
図２は、枕一体型敷き布団１の中材を模式的に示した図である。中材は、長方形の本体部２bと、本体部２bの表面一側部に所定幅に亘って突設した枕部３bとより成る。枕部３bの幅pwは約３３cm、長さplは約８４cmであり、枕一体型敷き布団１の天端辺２uに沿って横S方向の中央に設置される。枕部３bの長さplは枕一体型敷き布団１の横Sより若干短くなっている。これは、枕部３bを側生地で覆い易くするためであり、また側生地で覆った場合に枕部３の両端を滑らかな傾斜にするためである。本体部２bは、固わた、ウレタンなどを積層して設けられ、枕部３bは、更にその上にウレタンなどを積層して設けられる。
このように、枕一体型敷き布団１は、枕部３が大きいので、寝返りしても楽に寝返りができる。さらに、枕部３が一体になった敷布団であるので、干すのが便利である。
【００１２】
図３は、枕一体型敷き布団１の縫い線f1と直交するラインの断面図である。工業用ミシンなどで、側生地の表面２a、３a、中材２b、３b、および側生地の裏面２c、３cを貫通して縫製されて縫い線f1が形成される。その結果、中材２b、３bは圧縮されて、枕一体型敷き布団１は、縫い線f1を境目として折り畳み易くなる。その他の縫い線f2〜f7も同様に縫製される。枕一体型敷き布団１は、このように枕部３を含んで側生地で覆われて縫製されているので、側生地と中材がずれることなく布団の形状が維持され、寝心地が良くなっている。
【００１３】
図４は、枕一体型敷き布団１の折り畳み手順を示す図である。枕部３を折畳線f1により枕一体型敷き布団１の裏側に矢印aの方向へ折り畳み、以下、枕一体型敷き布団１を夫々の折畳線f2、f3、f4により蛇腹状に折り畳む。縫い線(折畳線)f1〜f4が設けられているため折り畳み易くなる。
【００１４】
図５は、枕一体型敷き布団１を完全に折り畳んだ状態を示す図である。折り畳まれた枕一体型敷き布団１の外周には帯状弾性体bが架け渡される。図５に示すように、枕一体型敷き布団１の幅L1〜幅L5は略同じ幅であり、突設した枕部３は外側に位置するように折り畳まれるので、コンパクトに収納することが可能となる。
【００１５】
図６は、枕一体型敷き布団１を椅子として使用する状態を示す図である。図５に示す、枕一体型敷き布団１を折り畳んだ状態で床面に設置し、枕部３を開き、枕部３を壁面などに立て掛け、図６に示す状態にする。枕一体型敷き布団１の突設した所定幅の枕部３が壁面などに当接しており、座位姿勢における背もたれとなる。なお、図示省略しているが、椅子の形状に合わせたシーツをカバーとして用いれば、椅子としてより快適に使用することができる。
【００１６】
以上説明した実施形態によれば、次の作用効果が得られる。
（１）枕一体型敷き布団１は、枕一体型敷き布団１の中材の表面一側部に突設した枕部３と、枕部３を含む中材を覆う側生地と、中材を貫通して枕一体型敷き布団１の表面の側生地２a、３aと裏面の側生地２c、３cとを枕一体型敷き布団１の短手方向に縫製して形成した折畳線f1〜f4とを備え、折畳線f1〜f4は、枕一体型敷き布団１の長手方向に所定間隔で複数本設けた。これにより、布団の形状が維持されて使い心地が良い枕一体型敷き布団１を提供することが可能となり、しかも、枕一体型敷き布団１をコンパクトに折り畳むことができる。
【００１７】
枕部３は、折畳線f1により枕一体型敷き布団１の裏面側に折り畳まれ、以下、枕一体型敷き布団１は、夫々の折畳線f2〜f4により蛇腹状に折り畳まれる。これにより、突設した枕部３を外側にして枕一体型敷き布団１を蛇腹状に略等分に折り畳むことができる。
【００１８】
枕一体型敷き布団１は、枕部３を上側にして蛇腹状に折り畳まれた枕一体型敷き布団１を床面に設置した状態で、枕部３を折畳線f1により開いて座位姿勢における背もたれにする。これにより、枕一体型敷き布団１を椅子として使用することもできる。
【００１９】
（２）所定間隔の折畳線f1〜f4は、枕一体型敷き布団1の長手方向における枕部３の幅に相当する間隔で形成される。これにより、使い心地が良い枕一体型敷き布団１であって、折畳線f1〜f4を境目として略等分に折り畳み易くなり、折り畳んだ状態でコンパクトになる。
【００２０】
（３）折畳線f1〜f4は、枕一体型敷き布団１の長手方向に所定間隔で４本設けた。これにより、枕一体型敷き布団１を５つ折り状態でコンパクトに折り畳むことができる。
【００２１】
（４）枕部３の両端に接続される帯状弾性体bを設け、帯状弾性体bは折畳線f1〜f4により蛇腹状に折り畳まれた枕一体型敷き布団１の外周に架け渡される。これにより、折り畳まれた枕一体型敷き布団１を固定することができる。
【００２２】
（変形例）
本考案は、以上説明した実施形態を次のように変形して実施することができる。
（１）折畳線f1〜f4は、枕部３の幅に相当する間隔で形成され、折畳線f1〜f4は４本である例で説明した。しかし、折畳線を３本にして、４つ折り状態で収納するようにしてもよく、折畳線を２本にして、３つ折り状態で収納するようにしてもよい。
【００２３】
本考案は、上記の実施形態に限定されるものではなく、本考案の特徴を損なわない限り、本考案の技術思想の範囲内で考えられるその他の形態についても、本考案の範囲内に含まれる。
【符号の説明】
【００２４】
１  枕一体型敷き布団
２  本体部
３  枕部
f1〜f4  折畳線
【図１】
0003196393.tif 000003
【図２】
0003196393.tif 000004
【図３】
0003196393.tif 000005
【図４】
0003196393.tif 000006
【図５】
0003196393.tif 000007
【図６】
0003196393.tif 000008